(57)【要約】【課題】温度変化によって、屋根材が熱伸縮を生じる場合であっても摺動可能に係合され、また、下地等の取付場所が狭い場合であっても取付け易く、しかも簡易な構造の吊子を提供する。【解決手段】屋根材係止片１２を設けた吊子本体１を屋根の下地Ｓ上に固定し、前記屋根材係止片１２に屋根材Ｙを係止して取付けるための吊子において、直立した板状に形成された直立板部１１の上端に、前記屋根材係止片１２を設けた吊子本体１と、前記直立板部１１に重合する垂直板部２１を立設すると共に、下端が前記下地Ｓ上に固定される取付基体２とより構成してなり、前記直立板部１１及び垂直板部２１の一方にスライド用長孔２３を形成すると共に、他方に挿通孔１３を設けて両者をスライド自在に固定し、前記吊子本体１をスライド可能にしてなる。【選択図】図１
2008215014.tif 000002
【特許請求の範囲】
【請求項１】
屋根材係止片を設けた吊子本体を屋根の下地上に固定し、前記屋根材係止片に屋根材を係止して取付けるための吊子において、
直立した板状に形成された直立板部の上端に、前記屋根材係止片を設けた吊子本体と、
前記直立板部に重合する垂直板部を立設すると共に、下端が前記下地上に固定される取付基体とより構成してなり、
前記直立板部及び垂直板部の一方にスライド用長孔を形成すると共に、他方に挿通孔を設けて両者をスライド自在に固定し、前記吊子本体をスライド可能にしたことを特徴とする吊子。
【発明の詳細な説明】
【技術分野】
【０００１】
本発明は、屋根材係止片を設けた吊子本体を屋根の下地上に固定し、前記屋根材係止片に屋根材を係止して取付けるための吊子に関する。
【背景技術】
【０００２】
一般に、体育館等の構造物の屋根には、長尺な帯板状の屋根材が葺かれている。
【０００３】
この屋根材を葺くには、屋根の下地上に吊子を固定しておき、この吊子に前記屋根材を係止して取付けてなる。
【０００４】
そのため、従来の吊子は、吊子本体の下端に前記屋根の下地上に固定される固定部を設けると共に、前記吊子本体の上端に屋根材係止片を設けてなる。
【０００５】
そして、前記吊子の固定部を屋根の下地上に固定し、前記屋根材係止片に前記屋根材を係止することによって、屋根材を葺くのである（例えば、特許文献１参照。）。
【０００６】
ところが、前記屋根材（特に、金属製屋根材）は、温度変化によって熱伸縮を生じるため、近年では、前記屋根材を摺動可能に係合させる吊子が開発されつつある（例えば、特許文献２参照。）。
【特許文献１】特許第３６５７９４５号（図４、参照。）
【特許文献２】特願平５−３００３２９号
【発明の開示】
【発明が解決しようとする課題】
【０００７】
この吊子は、平面状の第一連結部と、この両側に下地に固定される固定部とを備えた下部吊子と、屋根材側縁を保持する保持部と、前記第一連結部に対応する第二連結部とを備えた上部吊子からなり、前記第一連結部と第二連結部は相互に幅方向にスライド且つ連結可能なスライド機構に形成してある。
【０００８】
そして、下地に下部吊子を固定し、上部吊子の保持部に左右の屋根材側縁を保持して、この屋根材をスライド可能に接続するものであった。
【０００９】
しかしながら、従来の吊子は、構造が複雑であると共に、第一連結部の両側に固定部を設けた下部吊子を備えているため、大型化するという問題がある。
【００１０】
そのため、例えば、下地の取付場所が狭い場合には、前記吊子の固定部を取り付けできないという問題があった。
【００１１】
本発明は、かかる課題を解決することを目的とするもので、下地等の取付場所が狭い場合であっても取付け易く、しかも簡易な構造の吊子を提供する。
【課題を解決するための手段】
【００１２】
前記目的を達成するため、
本発明に係る吊子は、屋根材係止片を設けた吊子本体を屋根の下地上に固定し、前記屋根材係止片に屋根材を係止して取付けるための吊子において、直立した板状に形成された直立板部の上端に、前記屋根材係止片を設けた吊子本体と、前記直立板部に重合する垂直板部を立設すると共に、下端が前記下地上に固定される取付基体とより構成してなり、前記直立板部及び垂直板部の一方にスライド用長孔を形成すると共に、他方に挿通孔を設けて両者をスライド自在に固定し、前記吊子本体をスライド可能にしたことを特徴とする。
【発明の効果】
【００１３】
本発明に係る吊子によれば、板状に形成された直立板部と、この直立板部に垂直板部を重合すると共に、これら直立板部及び垂直板部の一方にスライド用長孔を、他方に挿通孔を設けて両者をスライド自在に固定する構造にしている。
【００１４】
そのため、吊子を極めて簡易な構造で形成できるうえ、例えば、下地等の取付け場所が狭い場合であっても容易に取付けできる。
【発明を実施するための最良の形態】
【００１５】
以下、本発明に係る吊子Ａを図面とともに説明する。
【実施例１】
【００１６】
図１（ａ）は、本発明に係る吊子Ａの一実施例を示した分解斜視図であり、図１（ｂ）は、図１（ａ）を組み付けた状態の斜視図である。図２は、図１で示した吊子Ａの要部断面図である。図３は、図１、２で示した吊子Ａの使用状態図である。
【００１７】
この吊子Ａは、直立した板状に形成された直立板部１１の上端に、屋根材係止片１２を設けた吊子本体１と、直立板部１１に重合する垂直板部２１を立設すると共に、この垂直板部２１の下端を直交方向に折り曲げて固定部２２を設けて断面略Ｌ状に形成された取付基体２とより構成してなり、これら直立板部１１及び垂直板部２１の一方にスライド用長孔２３を形成すると共に、他方に挿通孔１３を設けて両者をスライド自在に固定し、吊子本体１をスライド可能にしたことを特徴とする。
【００１８】
以下、詳説する。
【００１９】
吊子本体１の直立板部１１には、リベット３を貫通する挿通孔１３を開設している。
【００２０】
なお、屋根材係止片１２は、屋根材Ｙの側端縁を係止可能な形状であれば良く、屋根材Ｙの形状に応じて適宜選択できる。
【００２１】
一方、取付基体２の垂直板部２１には、長手方向にスライド用長孔２３を形成している。
【００２２】
本実施例では、直立板部１１の長手方向に、間隔をあけて２つの挿通孔１３を開設すると共に、これら挿通孔１３に対応する位置の垂直板部２１には、２つのスライド用長孔２３を形成している。
【００２３】
このように、２以上の挿通孔１３を開設することで、直立板部１１と垂直板部２１のガタツキを防止して、両者を確実に重合できる。
【００２４】
ここで、「重合する」とは、２枚の板材を重ね合わせたという意味に過ぎず、両板材が固定されて重ね合わされたという意味ではない。
【００２５】
また、取付基体２の固定部２２には、取付基体２を下地Ｓ等に固定するための取付穴２４を開設している。
【００２６】
この取付穴２４は、単なる丸穴であっても良いが、本実施例では、長手方向に長穴を開設することで、取付基体２を長手方向に移動させて調節可能にしている。
【００２７】
このように形成した直立板部１１及び垂直板部２１を重合させ、各々の挿通孔１３及びスライド用長孔２３に、リベット３を貫通させてカシメることで、これら直立板部１１及び垂直板部２１をスライド自在に固定している。
【００２８】
そして、取付基体２の取付穴２４を通じて、ネジ、ボルト等の取付具４を差込み、この固定部２２を下地Ｓ等に固定する。
【００２９】
なお、図中４１は、ワッシャーである。
【００３０】
以上のように構成した本発明に係る吊子Ａは、以下の要領で使用する。
【００３１】
先ず、既に葺かれた屋根材Ｙの側端縁に、吊子Ａの屋根材係止片１２の一方を係止すると共に、下地Ｓ等に、固定部２２の取付穴２４を通じて、ネジ、ボルト等の取付具４を差込み、取付基体２を下地Ｓ等に固定する。
【００３２】
そして、他の吊子（不図示）を、前記と同要領で、所定間隔をあけて軒棟方向に固定する。
【００３３】
このように屋根材Ｙの側端縁に取付けた複数の吊子Ａの屋根材係止片１２の他方に、他の屋根材Ｙ’の側端縁を各々係止させ、図２中の矢印で示すように、屋根材係止片１２を下方に折り曲げて屋根材Ｙ’の側端縁を係止する。
【００３４】
そして、隣設したこれらの屋根材Ｙ、’Ｙ’を、屋根材係止片１２で係止した後、その上方よりカバー体Ｋを嵌合して、屋根材Ｙ、Ｙ’を下地Ｓ等に葺くのである。
【００３５】
このように取付けた本発明に係る吊子Ａによれば、屋根材Ｙ、Ｙ’を屋根材係止片１２に係止した直立板部１１は、垂直板部２１とスライド自在に固定している。
【００３６】
そのため、屋根材Ｙ、Ｙ’が温度変化によって熱伸縮を生じても、この熱伸縮率に応じて屋根材Ｙ、’Ｙ’を係止した直立板部１１が、垂直板部２１に対してスライドして、屋根材Ｙ、Ｙ’を撓めることなく確実に支持できる。
【実施例２】
【００３７】
図４（ａ）、（ｂ）は、本発明に係る吊子Ａの他の実施例を示した要部の部分断面図である。
【００３８】
なお、図１、２と共通する部位には、同一の符号を付して重複する説明を省略し、以下では、各実施例の特徴についてのみ説明する。
【００３９】
これらの吊子Ａは、直立板部１１及び垂直板部２１をスライド自在に固定している点では、図１、２と同じであるが、その固定構造が異なるものを例示している。
【００４０】
図４（ａ）は、直立板部１１に開設した挿通孔１３の周縁に鍔部１３ａを形成し、この鍔部１３ａを垂直板部２１に開設したスライド用長孔２３に貫通したうえで、カシメ止めした構造にしている。
【００４１】
本実施例によれば、図１、２で示したような、リベット３を使用することなく、直立板部１１及び垂直板部２１をスライド自在に固定することができ、部品点数を減少することで、その構造を更に簡易にできる。
【００４２】
図４（ｂ）は、垂直板部２１に開設したスライド用長孔２３の周縁に凸条２３ａを形成し、この凸条２３ａを介して、リベット３を貫通させてカシメることで、これら直立板部１１及び垂直板部２１をスライド自在に固定した構造にしている。
【００４３】
本実施例によれば、凸条２３ａを形成することで、リベット３が直立板部１１に接合されず、直立板部１１とリベット３の間に隙間ｔを形成している。
【００４４】
そのため、直立板部１１がリベット３で押え付けられることがなく、直立板部１１をスムーズにスライドさせることができる。
【００４５】
なお、本実施例では、垂直板部２１にスライド用長孔２３を形成すると共に、直立板部１１に挿通孔１３を設けて両者をスライド自在に固定した構造を例示したが、この構造とは逆の構造、すなわち、直立板部１１にスライド用長孔２３を形成すると共に、垂直板部２１に挿通孔１３を設けて両者をスライド自在に固定した構造であっても、前記同様の効果を得ることができる。
【図面の簡単な説明】
【００４６】
【図１】（ａ）は、本発明に係る吊子Ａの一実施例を示した分解斜視図であり、（ｂ）は、図１（ａ）を組み付けた状態の斜視図である。
【図２】図１で示した吊子Ａの要部断面図である。
【図３】図１、２で示した吊子Ａの使用状態図である。
【図４】（ａ）、（ｂ）は、本発明に係る吊子Ａの他の実施例を示した要部の部分断面図である。
【符号の説明】
【００４７】
Ａ    吊子
Ｙ 、Ｙ’屋根材
Ｓ    下地
１    吊子本体
１１  直立板部
１２  屋根材係止片
１３  挿通孔
２    取付基体
２１  垂直板部
２３  スライド用長孔
【図１】
2008215014.tif 000003
【図２】
2008215014.tif 000004
【図３】
2008215014.tif 000005
【図４】
2008215014.tif 000006